(57)【要約】  本発明は、パッケージ印刷の技術領域に属し、パッケージ集版ブリード制限方法及びシステムを開示する。既存の技術は、集版の全ての装飾図に対しブリード制限を解放し、集版の仕上がりがよくなく、一定程度のインキを浪費する。また、本発明の方法及びシステムは、装飾図に対しブリード幅を設定することによりブリード制限を行い、光照射方法を採用して装飾図の所定のブリード線領域を得、修正する。最後に所定のブリード線領域を光源方向に向けてブリード制限を行う。本発明の方法及びシステムによれば、集版の縁の装飾図のブリード線部分はブリード制限を解放し、集版内側の装飾図の縁に現れるブリード線は不変のままであることが実現できる。本発明の方法及びシステムは、元々あるパッケージ装飾図上の印刷標記を残せ、時間を短縮でき、かつ、集版の仕上がりの混乱と印刷インキの浪費を回避できる。
2011523908.tif 000002
【特許請求の範囲】
【請求項１】
（１）ブリード幅を設定しブリード制限を行うことであって、設定したブリード幅に従って集版内の全てのパッケージ装飾図についてブリード制限を行いブリード線を得ること、
（２）光照射方法によって光線に直接照射されたブリード線領域を得ることであって、光線が集版の上下左右の４方向から集版に垂直に照射し、集版内の各パッケージ装飾図中に光線に直接照射されうるブリード線領域を得ること、
（３）光線に照射されブリード制限を解放しないブリード線領域を排除することであって、閾値を設定するとともに、パッケージ装飾図の照射されうる所定のブリード線領域の投影の長さをパッケージ装飾領域のブリード線のこの照射方向における投影の長さで除した百分比が設定された閾値より小さい場合は、当該ブリード線領域はブリード制限を解放せず、そうでない場合はステップ（４）に移行すること、
（４）当該ブリード線領域を光線源の方向にブリード制限を解放すること、
を含むパッケージ集版ブリード制限方法。
【請求項２】
ステップ（１）において前記ブリード幅は３ｍｍである、請求項１に記載のパッケージ集版ブリード制限方法。
【請求項３】
前記ブリード線は外ブリード線と内ブリード線を有し、前記外ブリード線は、パッケージ装飾図の裁断線の外周の境界が外側にブリード幅を広げられ得られた線であり、前記内ブリード線は、パッケージ装飾図内部の開口の裁断線が内側にブリード幅を広げられ得られた線である、請求項１または２に記載のパッケージ集版ブリード制限方法。
【請求項４】
ステップ（２）において前記光照射方法の照射対象がパッケージ装飾図の最も外側の外周の裁断線である、請求項１又は２に記載のパッケージ集版ブリード制限方法。
【請求項５】
光線に照射されるパッケージ装飾図についての２つのブリード線領域には共通部分が存在し、この２つのブリード線領域を併せてブリード制限を解放すべき１つのブリード線領域とする、請求項１または２に記載のパッケージ集版ブリード制限方法。
【請求項６】
ステップ（３）において前記閾値が１０〜２５％である、請求項１または２に記載のパッケージ集版ブリード制限方法。
【請求項７】
ステップ（４）において、中分け線裁断法を選択し、互いに影響のあったパッケージ装飾図に対し修正を行う、請求項１または２に記載のパッケージ集版ブリード制限方法。
【請求項８】
印刷版に複数の集版がある場合、各集版に対しそれぞれステップ（１）〜（４）を実行する、請求項１または２に記載のパッケージ集版ブリード制限方法。
【請求項９】
（１）設定したブリード幅に従って集版内の全てのパッケージ装飾図についてブリード制限を行いブリード線を得るためのブリード幅取得モジュール、
（２）光線が集版の上下左右の４方向から集版に垂直に照射し、集版内の各パッケージ装飾図中に照射光線に直接照射されうるブリード線領域を取得するためのブリード線領域取得モジュール、
（３）光線に照射されブリード制限を解放しないブリード線領域を排除するための排除モジュールであって、閾値を設定するとともに、パッケージ装飾図の照射されうる所定のブリード線領域の投影の長さをパッケージ装飾領域のブリード線のこの照射方向における投影の長さで除した百分比が設定された閾値より小さい場合は、当該ブリード線領域はブリード制限を解放せず、そうでない場合はブリード制限を解放する排除モジュールと、
（４）当該ブリード線領域を光線源の方向にブリード制限を解放するためのブリード制限モジュール、
を含むパッケージ集版ブリード制限システム。
【請求項１０】
前記ブリード取得モジュールにおいてブリード幅は３ｍｍに設定され、前記排除モジュールにおいて設定された閾値は１０〜２５％である、請求項９に記載のパッケージ集版ブリード制限システム。
【発明の詳細な説明】
【技術分野】
【０００１】
本発明は、パッケージ印刷の技術領域に属し、特に、パッケージ集版ブリード制限方法及びシステムに関する。
【背景技術】
【０００２】
パッケージボックスの図柄としては、容器構造図と装飾図が含まれる。裁断不良により露出する事態を防止するために、装飾図の構造寸法は容器寸法より大きくなければならない。集版において、各パッケージボックスの容器構造の最も外側の裁断線を所定の広さ（ブリード幅）に外側に広げて得られる線は、外ブリード線と呼ばれる。パッケージに開口がある場合、開口となる裁断線を所定のブリード幅に内側に広げて得られる線は、内ブリード線と呼ばれる。外ブリード線と内ブリード線はいずれもブリード線と呼ばれる。印刷前の製造時は、装飾図に対しブリード線で裁断を行う。そして、印刷を行い、印刷後裁断線に沿って、印刷された実際の装飾図に対し裁断を行う。このようにしてパッケージボックスが得られる。ここで、もしパッケージ装飾図に、ブリード線の外に印刷標記が含まれていれば、この印刷標記は同様に切り落とされる。
【０００３】
現在行われているのは、集版中の全ての装飾図についてブリード制限を解放し、隣接するいずれか２つの装飾図の間で外周の裁断線に沿って中分けして裁断する方法をとって、各パッケージ装飾図の間の互いの影響を回避することである。このため、集版内に装飾図の印刷標記が現れるとも限らず、不要なパッケージ装飾図の部分が残り、印刷インキの浪費を招く。しかも、集版の仕上がりにおいても、比較的混乱が生じ、互いに影響する場合がありうる。
【発明の概要】
【発明が解決しようとする課題】
【０００４】
既存の技術における問題に対し、本発明の目的は、パッケージ集版ブリード制限方法及びシステムを提供することにある。この方法及びシステムにより、印刷標記を有するパッケージ装飾図の集版過程で外周の印刷標記を残せ、再度添加する必要がなくなる。ブリード制限の区別により、印刷標記を残すべき装飾図の縁についてはブリード制限を解放し、印刷標記を残す必要のない装飾図の縁についてはブリード制限する。これにより、元々あるパッケージ装飾図の印刷標記を残すことができ、時間を短縮でき、集版内側の装飾図の縁についてはブリード制限を保持し、集版の仕上がりの混乱と印刷インキの浪費を回避できる。
【課題を解決するための手段】
【０００５】
上述の目的を、下記の技術によって実現する。パッケージ集版ブリード制限方法であって、
（１）ブリード幅を設定しブリード制限を行うことであって、設定したブリード幅に従って集版内の全てのパッケージ装飾図についてブリード制限を行いブリード線を得ること、
（２）光照射方法によって光線に直接照射されたブリード線領域を得ることであって、光線が集版の上下左右の４方向から集版に垂直に照射し、集版内の各パッケージ装飾図中に光線に直接照射されうるブリード線領域を得ること、
（３）光線に照射されブリード制限を解放しないブリード線領域を排除することであって、閾値を設定するとともに、パッケージ装飾図の照射されうる所定のブリード線領域の投影の長さをパッケージ装飾領域のブリード線のこの照射方向における投影の長さで除した百分比が設定された閾値より小さい場合は、当該ブリード線領域はブリード制限を解放せず、そうでない場合はステップ（４）に移行すること、
（４）当該ブリード線領域を光線源の方向にブリード制限を解放すること、
を含む方法。
【０００６】
さらに、ステップ（１）において前記ブリード幅は３ｍｍである。
【０００７】
さらに、前記ブリード線は外ブリード線と内ブリード線を有し、前記外ブリード線は、パッケージ装飾図の裁断線の外周の境界が外側にブリード幅を広げられ得られた線であり、前記内ブリード線は、パッケージ装飾図内部の開口の裁断線が内側にブリード幅を広げられ得られた線である。
【０００８】
またさらには、ステップ（２）において前記光照射方法の照射対象がパッケージ装飾図の最も外周の裁断線である。
【０００９】
さらに、光線に照射されるパッケージ装飾図についての２つのブリード線領域には共通部分が存在し、この２つのブリード線領域を併せてブリード制限を解放すべき１つのブリード線領域とする。
【００１０】
またさらには、ステップ（３）において前記閾値が１０〜２５％である。
【００１１】
さらに、ステップ（４）において前記ブリード制限の解放を行った後、中分け線裁断法を選択し、互いに影響のあったパッケージ装飾図に対し修正を行う。
【００１２】
さらに、印刷版に複数の集版がある場合、各集版に対しそれぞれステップ（１）〜（４）を実行すべきである。
【００１３】
パッケージ集版ブリード制限システムであって、
（１）設定したブリード幅に従って集版内の全てのパッケージ装飾図についてブリード制限を行いブリード線を得るためのブリード幅取得モジュール、
（２）光線が集版の上下左右の４方向から集版に垂直に照射し、集版内の各パッケージ装飾図中に照射光線に直接照射されうるブリード線領域を取得するためのブリード線領域取得モジュール、
（３）光線に照射されブリード制限を解放しないブリード線領域を排除するための排除モジュールであって、閾値を設定するとともに、パッケージ装飾図の照射されうる所定のブリード線領域の投影の長さをパッケージ装飾領域のブリード線のこの照射方向における投影の長さで除した百分比が設定された閾値より小さい場合は、当該ブリード線領域はブリード制限を解放せず、そうでない場合はブリード制限を解放する排除モジュールと、
（４）当該ブリード線領域を光線源の方向にブリード制限を解放するためのブリード制限モジュール、
を含むシステム。
【００１４】
さらに、前記ブリード取得モジュールにおいてブリード幅は３ｍｍに設定され、排除モジュールにおいて設定された閾値は１０〜２５％である。
【００１５】
本発明の効果は次のようになる。本発明の方法及びシステムを採用すれば、印刷標記を有するパッケージ装飾図に対する集版過程において外周の印刷標記を残すことができ、新たに添加する必要がなくなる。また、ブリード制限の区別によって、印刷標記を残すべき装飾図の縁に対してはブリード制限を解放し、印刷標記を残す必要のない装飾図の縁に対してはブリード制限を行うことができ、時間を短縮できる。集版内側の装飾図の縁に対しブリード制限を保持することにより、集版の仕上がりの混乱と印刷インキの浪費を回避できる。
【図面の簡単な説明】
【００１６】
【図１】本発明のパッケージ集版ブリード制限方法のフローチャート。
【図２】本発明の実施例において集版の後ブリード制限を行った仕上がり図。
【図３】本発明の実施例において光照射方法により得られた所定のブリード線領域の仕上がり図。
【図４】本発明の実施例における所定のブリード線中の除去すべき領域の仕上がり図。
【図５】本発明の実施例において修正後の所定のブリード線領域の仕上がり図。
【図６】既存の技術を用いてブリード制限を完了させた仕上がり図。
【図７】本発明の方法を用いてブリード制限を完了させた仕上がり図。
【発明を実施するための形態】
【００１７】
以下、図面及び具体的な実施例を参照し、本発明をより詳細に説明する。
【００１８】
パッケージ集版ブリード制限システムは、下記部分を備えている。
【００１９】
（１）設定したブリード幅に従って集版内の全てのパッケージ装飾図についてブリード制限を行いブリード線を得るためのブリード幅取得モジュール；
（２）光線が集版の上下左右の４方向から集版に垂直に照射し、集版内の各パッケージ装飾図中に照射光線に直接照射されうるブリード線領域を取得するためのブリード線領域取得モジュール；
（３）光線に照射されうる、ブリード制限を解放しないブリード線領域を排除するための排除モジュールであって、閾値を設定するとともに、パッケージ装飾図の照射されうる所定のブリード線領域の投影の長さをパッケージ装飾領域のブリード線のこの照射方向における投影の長さで除した百分比が設定された閾値より小さい場合は、当該ブリード線領域はブリード制限を解放せず、そうでない場合はブリード制限を解放する排除モジュール；
（４）当該ブリード線領域を光線源の方向にブリード制限を解放するためのブリード制限モジュール。
【００２０】
本実施例では、集版の過程で印刷標記を有するパッケージ装飾図に対しブリード制限を行うことを例とする。図１に示すように、パッケージ集版ブリード制限方法は、以下のステップを含む。
【００２１】
（１）ブリード幅を設定しブリード制限を行うことＳ１１：設定したブリード幅ｄに従い集版２１中の全てのパッケージ装飾図２２に対しブリード制限を行い、ブリード線を得る。前記ブリード線は、外ブリード線及び内ブリード線を含む。図２に示すように、前記外ブリード線は、パッケージ装飾図２２の裁断線の外周境界２３（外周の黒い実線）が外側にブリード幅ｄ広げられて得られた線２４であり、前記内ブリード線は、パッケージ装飾図２２内部の開口の裁断線が内側にブリード幅広げられて得られる線である。
【００２２】
前記ブリード幅ｄの具体的な数値は、ユーザーによる実際の必要性に基づいて設定され、通常３ｍｍに設定され、その他の値に設けられてもよい。本実施例において、ブリード幅ｄは３ｍｍに設定され、このブリード幅に基づいてパッケージ装飾図２２に対しブリード制限を行い、ブリード線を得る。すなわち図２において各パッケージ装飾図２２の外側輪郭線２４である。
【００２３】
（２）光照射方法によって光線に直接照射されうるブリード線領域を得るＳ１２：光線が印刷版２１の上下左右の４方向から集版２１に垂直に照射し、集版において各パッケージ装飾図２２中の光線に直接照射されうる所定のブリード線領域を得る；
図３に示すように、本実施例において、光線に直接照射されるブリード線領域は、照射光線が他の装飾図のブリード線の閉ざされた領域に遮られず直接照射されうる所定の装飾図のブリード線領域を指す。図３の３１〜３８及び図４の４１〜４８に示す。
【００２４】
（３）ステップ（２）で得られた所定のブリード線領域を修正し、光線に照射されうる、ブリード制限を解放しないブリード線領域を排除するＳ１３：
閾値を設定し、パッケージ装飾図の照射されうる所定のブリード線領域の投影の長さをパッケージ装飾図のブリード線のこの照射方向における投影の長さで除した百分比が、設定された閾値より小さい場合は、当該ブリード線領域はブリード制限を解放せず、そうでない場合はステップ（４）に移行する。すなわち、パッケージ装飾図の当該ブリード線領域はブリード制限を解放する。但し、前記閾値は、パッケージ集版のサイズに基づいて確定される数値であり、通常は可変で、数値範囲は１０〜２５％である。本実施例において閾値は１０％であり、ブリード制限を解放しないブリード線領域は図４に４１〜４８で示す通りである。パッケージ装飾図中の異なる方向の光線に同時に照射されうる２つのブリード線領域には共通部分が存在する。例えば、図４において右上隅の部分のブリード線領域４９は、同時に上方から下方への光線及び右方から左方への光線に照射されうる。すなわち、この両領域のブリード領域はブリード制限を解放すべきブリード線領域である。
【００２５】
本実施例において、図４において光線に照射されるブリード線中除去すべき領域４１〜４８に対し修正後得られるブリード線領域の仕上がりは図５で３１〜３８に示す通りである。
【００２６】
（４）修正後の光線に照射されうるブリード線領域を光源方向にブリード制限を解放するＳ１４：光線に直接照射され且つ既に修正された装飾図に基づいて、ブリード線領域は光線源の方向にブリード制限を解放する。図５に示すように、図５において３１〜３８で示すブリード線領域を光線源方向にブリード制限を解放し、図４で４１〜４８で示すブリード線領域は制限を解放しない。
【００２７】
図６で既存の技術を採用して集版の全てのパッケージ装飾図に対しブリード制限を解放した仕上がりに対して、本発明の方法を利用して集版中のパッケージ装飾図に対しブリード制限を行った仕上がりを図７に示す。
【００２８】
本実施例において、ブリード制限の解放を行った後にパッケージ装飾図に互いの影響が現れると、２つの装飾図が交差するような場合が生じうる。この場合中分け線で裁断する方法によってこれら両装飾図に対し裁断を行い、これにより両装飾図が交差しないようにすることを考慮してもよい。中分け線が指すのは、両装飾図の外周の裁断線までの最も近い距離に相当する点からなる線である
本実施例において、もし印刷版に複数の集版がある場合は、各集版に対し別々にステップ（１）ないしステップ（４）を行うべきである。
【００２９】
本実施例において、ステップ（２）が採用する光線照射法において照射対象は装飾図のブリード線であり、照射対象は装飾図の最も外側の外周の裁断線であってもよい。他のステップも同様である。
【００３０】
図７は、本発明の方法を採用しブリード制限を完了した仕上がり図である。上述の実施例及び仕上がり図から理解できるように、本発明は光照射の方法を採用し、上下左右の光線がそれぞれ集版に垂直に照射し、照射されたパッケージ装飾図のブリード線はブリード制限を解放する。同じ集版における同じパッケージ装飾図について、ブリード制限を行うべきでない部分に対しブリード制限を解放し（図３又は図５中の３１〜３８）、元々あるパッケージ装飾図上の印刷標記（図７中の７１）を残す目標を達成すれば、時間を短縮でき、ブリード制限を行うべき部分に対してブリード制限を保ち（図４中の４１〜４８及び光線により照射されていないブリード線の領域）、これにより、集版の仕上がりの混乱と印刷インキの浪費を回避できる。
【００３１】
本領域の技術者は、本発明に対し各種変更及び改良を行って本発明の概念及び範囲を逸脱しないことができる。このように、仮に本発明のこれら修正及び改良が本発明の請求の範囲及びその同等の技術的範囲に属するのであれば、本発明は、これら変更及び改良を含めて包含することも意図する。
【図２】
2011523908.tif 000003
【図７】
2011523908.tif 000004
【図１】
2011523908.tif 000005
【図３】
2011523908.tif 000006
【図４】
2011523908.tif 000007
【図５】
2011523908.tif 000008
【図６】
2011523908.tif 000009
【国際調査報告】
2011523908.tif 000010
2011523908.tif 000011
2011523908.tif 000012
2011523908.tif 000013